(57)【特許請求の範囲】
【請求項１】
電子カメラと、この電子カメラを遠隔操作するリモコンとから構成された電子カメラシステムであって、
上記リモコンは、一定のタイミングで間欠的に可視光の発光を行う発光手段を備え、
上記電子カメラは、
被写体像を結像するための撮影レンズ系と、
上記撮影レンズ系によって結像された被写体像を撮像素子により光電変換して画像信号を出力する撮像手段と、
上記画像信号より上記発光手段からの発光を検出し、画面内における上記リモコンの位置を特定する位置特定手段と、
上記位置特定手段によって特定されたリモコンの位置に基づいて撮影条件を設定する撮影条件設定手段と、
上記発光手段の発光期間中に撮像素子の露光が実行されるように、上記発光手段の発光のタイミングに撮像素子の露光タイミングを同期させるよう制御する撮像制御手段を備える
ことを特徴とする電子カメラシステム。
【請求項２】
上記撮影条件設定手段は、特定されたリモコンの位置で合焦検出を行い、その検出結果に応じて上記撮影レンズ系に含まれる合焦用レンズを移動させて合焦を行う合焦手段を有する
ことを特徴とする請求項１に記載の電子カメラシステム。
【請求項３】
上記撮影条件設定手段は、特定されたリモコンの位置で輝度検出を行い、その検出結果に応じて上記撮像素子の露光調整を行うＡＥ手段を有する
ことを特徴とする請求項１に記載の電子カメラシステム。
【請求項４】
上記リモコンは、
上記電子カメラの遠隔操作指示を行う指示手段と、
上記指示手段の指示に応じた信号を上記電子カメラに送信する送信手段と、を備え
上記電子カメラは、
上記リモコンからの送信信号を受信する受信手段と、
上記受信手段によって受信された受信信号に応じて上記電子カメラを制御する制御手段と、を備える、
ことを特徴とする請求項１に記載の電子カメラシステム。
【請求項５】
上記リモコン及び電子カメラの少なくとも一方は、上記リモコンからの発光によりリモコン位置に応じた撮影条件が設定されてから撮影が実行されるモードと、上記リモコンからの発光によりリモコン位置に応じた撮影条件が設定され、さらに上記リモコンからの撮影指示があってから撮影が実行されるモードとを選択する選択手段を備えた
ことを特徴とする請求項４に記載の電子カメラシステム。
【請求項６】
上記撮像制御手段は、上記受信手段で受信した上記リモコンの送信信号を基準として撮像素子の露光タイミングを制御する
ことを特徴とする請求項４に記載の電子カメラシステム。
【請求項７】
上記位置特定手段は、複数回の露光タイミングにおいて上記発光手段からの発光信号を検出することによってリモコン位置を特定する
ことを特徴とする請求項１に記載の電子カメラシステム。
【発明の詳細な説明】
【０００１】
【発明の属する技術分野】
本発明は、電子カメラシステム、特に電子カメラの撮影操作等をリモコン（リモートコントローラ）によって行うことが可能な電子カメラシステムに関するものである。
【０００２】
【従来の技術】
被写体に撮影者自身が含まれる場合、通常セルフタイマーやリモコンを用いて撮影を行う。いずれの場合にも、ファインダー等で予め撮影者自身がいるであろう場所を想定して画角の設定を行い、見込み撮影を行う。しかしながら、ＡＦ（オートフォーカス）やＡＥ（オートエクスポージャ）動作は、通常画面の中央の位置に対して行われるため、被写体が中央の位置からずれた場合には、適正なＡＦやＡＥ動作ができなくなってしまう。また、意識的に撮影位置を画面の中央からずらして撮影を行いたい場合もあるが、このような場合、従来は適切なＡＦやＡＥ動作を行うことができず、適正な撮影を行うことが困難であった。
【０００３】
また、リモコンからカメラに向けて光を発光させ、この光をＰＳＤ等の光入射位置検出素子で受光することにより光の方位を検出し、その検出結果に基づいてリモコンすなわち被写体からカメラまで距離を算出して、焦点を合わせるようにしたものも提案されている（特開平５−９３８４４号公報）。しかしながら、この場合には、撮像系とは別個に設けられた測距系によって測距を行うため、その分コストアップや大型化の原因となり、またパララックスによって適正な撮影精度が得られないという問題も生じる。
【０００４】
【発明が解決しようとする課題】
このように、リモコンを用いて遠隔撮影を行う場合、従来は、見込み撮影であることに起因して適正なＡＦやＡＥ動作ができなくなるといった問題や、撮像系と測距系とが異なることに起因してコストアップや大型化、パララックスによる撮影精度の悪化が生じるといった問題があった。
【０００５】
本発明は上記従来の課題に対してなされたものであり、リモコンを用いて遠隔撮影を行う場合、撮像系を利用して適切なＡＦやＡＥ動作を行うことにより、適正な撮影を行うことが可能な電子カメラシステムを提供することを目的としている。
【０００６】
【課題を解決するための手段】
本発明に係る電子カメラシステムは、電子カメラと、この電子カメラを遠隔操作するリモコンとから構成された電子カメラシステムであって、上記リモコンは、一定のタイミングで間欠的に可視光の発光を行う発光手段を備え、上記電子カメラは、被写体像を結像するための撮影レンズ系と、上記撮影レンズ系によって結像された被写体像を撮像素子により光電変換して画像信号を出力する撮像手段と、上記画像信号より上記発光手段からの発光を検出し、画面内における上記リモコンの位置を特定する位置特定手段と、上記位置特定手段によって特定されたリモコンの位置に基づいて撮影条件を設定する撮影条件設定手段と、上記発光手段の発光期間中に撮像素子の露光が実行されるように、上記発光手段の発光のタイミングに撮像素子の露光タイミングを同期させるよう制御する撮像制御手段を備えることを特徴とする。
【０００７】
本発明の好ましい態様は以下の通りである。
【０００８】
（１）上記撮影条件設定手段は、特定されたリモコンの位置で合焦検出を行い、その検出結果に応じて上記撮影レンズ系に含まれる合焦用レンズを移動させて合焦を行う合焦手段を有する。
【０００９】
（２）上記撮影条件設定手段は、特定されたリモコンの位置で輝度検出を行い、その検出結果に応じて上記撮像素子の露光調整を行うＡＥ手段を有する。
【００１０】
（３）上記リモコンは、上記電子カメラの遠隔操作指示を行う指示手段と、上記指示手段の指示に応じた信号を上記電子カメラに送信する送信手段と、を備え上記電子カメラは、上記リモコンからの送信信号を受信する受信手段と、上記受信手段によって受信された受信信号に応じて上記電子カメラを制御する制御手段と、を備える。
【００１１】
（４）上記リモコン及び電子カメラの少なくとも一方は、（上記指示手段の撮影指示に基づく）上記リモコンからの発光によりリモコン位置に応じた撮影条件が設定されてから（自動的に）撮影が実行されるモードと、上記リモコンからの発光によりリモコン位置に応じた撮影条件が設定され、さらに上記リモコンからの撮影指示があってから撮影が実行されるモードとを選択する選択手段を備える。
【００１３】
（５）上記撮像制御手段は、上記受信手段で受信した上記リモコンの送信信号を基準として撮像素子の露光タイミングを制御する。
【００１４】
（６）上記位置特定手段は、複数回の露光タイミングにおいて上記発光手段からの発光信号を検出することによってリモコン位置を特定する。
【００１５】
【発明の実施の形態】
以下、本発明の実施形態を図面を参照して説明する。
【００１６】
（装置構成）
図１は本実施形態に係る電子カメラシステムの外観構成を示した図であり、図２は本実施形態に係る電子カメラシステムのシステム構成を示したブロック図である。
【００１７】
図１及び図２に示すように、本実施形態に係る電子カメラシステムは大きく分けて、電子カメラ１０及びリモコン（リモートコントローラ）６０によって構成されている。
【００１８】
リモコン６０は、電子カメラ１０を遠隔操作するためのコマンド送信用の発光部（ＬＥＤ６１）の他、電子カメラ１０にリモコン６０の位置（被写体となる撮影者の位置）を認識させるための発光部（ＬＥＤ６２）を有している。ＬＥＤ６２には可視光を発光するものを用いることが好ましい。操作部６３を操作することによりマイコン６４からコマンド用発光制御部６５及び位置用発光制御部６６に制御命令が送られ、コマンド用発光制御部６５及び位置用発光制御部６６からの制御信号よってそれぞれＬＥＤ６１及び６２の発光動作が制御される。操作部６３は、レリーズスイッチの他、発光スイッチ、リモコンモード切替えスイッチ、ズームアップ／ダウンスイッチによって構成されている。
【００１９】
電子カメラ１０の基本的な構成は、通常の電子カメラと同様であり、ズームレンズ１１及び合焦レンズ１２等からなる撮影レンズ系、撮像素子１３（ＣＣＤ等の光電変換素子）、撮像回路１４及びＡ／Ｄ変換回路１５等からなる撮像部を備えている。すなわち、撮影レンズ系によって結像された被写体像を撮像素子１３によって光電変換し、光電変換された画像信号を撮像回路１４を介してＡ／Ｄ変換回路１５に入力することにより、デジタル変換された画像信号が得られるように構成されている。また、リモコン６０のＬＥＤ６２からの発光も撮影レンズ系を介して撮像素子１３に入射するようになっている。ズームレンズ１１はズームレンズ制御部１６の制御に基づきズームレンズ移動部１７によって駆動され、合焦レンズ１２は合焦レンズ制御部１８の制御に基づき合焦レンズ移動部１９によって駆動される。
【００２０】
シスコン（システムコントローラ）２０は、電子カメラの各種動作の制御機能や各種の演算処理機能を有しており、バス２１等を介して電子カメラの各部に接続されている。
【００２１】
内蔵メモリ２２は、ＤＲＡＭによって構成され、バッファメモリとしての機能を有し、撮像部によって得られた画像データ等を一時的に記憶する他、画像処理等の各種処理の作業領域としても用いられる。
【００２２】
メモリインターフェース２３は、カードスロット２４に挿入されたメモリカード（着脱主メモリ２５）との間で情報の送受を行うためのインターフェースであり、このメモリインターフェース２３を介して、メモリカードへの画像情報の書き込みや、メモリカードからの画像情報の読み出しが行われる。
【００２３】
外部インターフェース２６は、外部入出力端子２７を介して外部機器との間で通信を行うためのインターフェースであり、この外部インターフェース２６により、パーソナルコンピュータ等の外部機器との間で画像情報等の各種情報の送受を行うことができる。
【００２４】
ＶＲＡＭ２８は表示用の画像データを保持するものであり、ＶＲＡＭ２８に保持された画像データはＬＣＤドライバ２９に送られ、ＬＣＤドライバ２９からの信号によって内蔵ＬＣＤ３０に画像が表示される。また、ＶＲＡＭ２８に保持された画像データはビデオ出力回路３１にも送ることができ、ビデオ出力回路３１からの信号がビデオ出力端子３２を介して外部機器に送出できるようになっている。
【００２５】
操作部３３は、電子カメラに各種の指示を与えるものであり、レリーズスイッチの他、モード切替えスイッチ等から構成される。
【００２６】
受光部３４は、フォトダイオードによって構成され、リモコン６０のコマンド用のＬＥＤ６１から送信される発光信号（コマンド信号）を受光するものであり、受光部３４で受光された発光信号は受光回路３５を介してシスコン２０に送られるようになっている。
【００２７】
特定色抽出部３６は、撮像部で得られた画像の中からＬＥＤ６２の発光色に対応した特定の色（例えば赤色）を抽出するものであり、この特定色抽出部３６からの出力を受けて、リモコン位置特定部３７によりリモコン６０の位置すなわち被写体となる撮影者の位置が特定される。
【００２８】
ＡＥ領域設定部３８は、リモコン位置特定部３７で特定されたリモコン位置を中心とした一定領域を、図３に示すようにＡＥ検出領域として設定するものであり、ＡＥ部３９ではＡＥ領域設定部３８で設定されたＡＥ検出領域内の画像からＡＥ情報を取得するようになっている。同様に、合焦領域設定部４０によりリモコン位置特定部３７で特定されたリモコン位置を中心とした一定領域が、図３に示すように合焦検出領域として設定され、合焦検出部４１により合焦領域設定部４０で設定された合焦検出領域内の画像から合焦情報を取得するようになっている。
【００２９】
このように、リモコンからの発光を検出してリモコン位置を特定し、特定されたリモコン位置に応じて撮像画面内におけるＡＥ領域及び合焦領域が設定されるので、撮影者が画面の中央に位置していなくても確実にＡＦ及びＡＥ処理を行うことができる。また、リモコン位置の検出がＣＣＤ等からなる撮像系を用いて行われるので、撮像系と測距系とが異なる場合に生じるパララックスの問題やコストアップ／大型化の問題を防止することができる。
【００３０】
リモコンを用いない通常撮影の場合には、通常の方法によりＡＥ部３９及び合焦検出部４１でＡＥ情報及び合焦情報が取得される。また、ＡＥ領域及び合焦領域は、合焦／ＡＥ領域表示部４２を介して内蔵ＬＣＤ３０に表示できるようになっている。
【００３１】
なお、ＡＥ領域設定部３８及び合焦領域設定部４０によって設定される検出領域のサイズや形状は、必要に応じて可変にできるようにしてもよい。図４はその一例を示したものであり、この例では、通常撮影時（ａ）とリモコン撮影時（ｂ）とでＡＥ検出領域の形状を変更できるようになっている。
【００３２】
ＬＥＤ４３は、画面内におけるリモコン位置を撮影者に知らせるためのものであり、図１に示すように、電子カメラ１０の前面にレンズ鏡筒を囲むようにして略円状に複数個（本例では４個）設けられている。各ＬＥＤ４３の発光動作は、駆動制御回路４４によって制御される。
【００３３】
図５は、リモコン位置と各ＬＥＤ４３との関係について示したものである。この例では、図５（ａ）に示すように１画面をＲ１〜Ｒ４の４領域に分割し、図５（ｂ）に示すように４個のＬＥＤ４３を各領域に対応するように配置している。リモコン位置特定部３７によって特定されたリモコン位置が含まれる領域（図の例では領域Ｒ１）に対応するＬＥＤ４３を選択的に発光させることにより、撮影者はリモコン位置を確認することができる。また、通常は被写体が画面の中央に位置するようにして撮影を行うことが多いことから、リモコン位置が画面の中央の領域にある場合には、例えば全てのＬＥＤ４３を発光させる等により、その旨を撮影者に知らせるようにしてもよい。
【００３４】
このように、複数のＬＥＤ４３の発光位置から撮影者はリモコン位置、すなわち自分自身の位置を的確に把握することができる。したがって、撮影者は各ＬＥＤ４３の発光位置を確認しながら所望の撮影位置に移動することができ、適切な撮影位置での撮影を行うことができる。
【００３５】
ストロボ発光部４５は、ストロボ撮影を行う際にストロボ制御部４６からの制御によって発光動作を行うものであるが、このストロボ発光部４５の発光動作によって、リモコン位置に関する情報を撮影者に知らせるようにしてもよい。例えば、リモコン位置が画面の中央の領域である場合にストロボを発光させ、その旨を撮影者に知らせるようにする。その逆に、リモコンが画面の中央の領域にない場合にストロボを発光させるようにしてもよい。さらには、リモコンが画面内にない場合にストロボを発光させるようにしてもよい。ストロボを用いることにより、新たな部品を追加しなくても、リモコン位置に関する情報を撮影者に知らせることが可能となる。
【００３６】
スピーカ４７は、所定の情報を音声によって撮影者に知らせるものであるが、これを用いてリモコン位置に関する情報を撮影者に知らせるようにしてもよい。例えば、リモコンの位置について、「画面の左です」、「画面の上です」、というようにしてリモコン位置に関する情報を撮影者に知らせるようにする。
【００３７】
（動作）
次に、図６〜図８に示したフローチャートを参照して、本実施形態の動作を説明する。
【００３８】
まず、電子カメラ１０の操作部３３のモード切替えスイッチにより、所望の撮影モードを選択する（Ｓ１）。
【００３９】
通常撮影モードの場合には、通常の撮影が行われる（Ｓ２）。セルフタイマモードの場合には（Ｓ３）、レリーズスイッチオン動作（Ｓ４）及びタイマオン動作（Ｓ５）の後、後述する撮影条件設定処理が行われ（Ｓ２０）、撮影が実行される（Ｓ２１）。
【００４０】
リモコンモードの場合には（Ｓ６）、リモコン６０の操作部６３のリモコンモード切替えスイッチにより、所望のリモコンモード（リモコンモードＡ、リモコンモードＢ或いはリモコンモードＣ）を選択する（Ｓ７）。
【００４１】
リモコンモードＡでは、従来と同様のリモコン撮影が行われる（Ｓ８）。すなわち、リモコンのレリーズスイッチをオンすることにより（Ｓ９）、コマンド用のＬＥＤ６１から発光信号（コマンド信号）が電子カメラ１０の受光部３４に送られる。この発光信号には、リモコンモードの識別コードが含まれている（Ｓ１０）。その後、後述する撮影条件設定処理が行われ（Ｓ２０）、撮影が実行される（Ｓ２１）。
【００４２】
リモコンモードＢでは、リモコンのレリーズスイッチ操作を行うことによってリモコン位置の検出／特定が行われ、その後に自動的に撮影が実行される（Ｓ１１）。すなわち、リモコンのレリーズスイッチをオンした後（Ｓ１２）、後述する特定処理が行われ（Ｓ１３）、さらにその後、後述する撮影条件設定処理が行われ（Ｓ２０）、撮影が実行される（Ｓ２１）。
【００４３】
リモコンモードＣでは、リモコンの発光スイッチ操作を行うことによってリモコン位置の検出／特定が行われ、カメラの前面に設けられたＬＥＤ４３によってリモコン位置を撮影者に知らせ、撮影者が所望の位置に移動した後、リモコンのレリーズスイッチ操作によって撮影が実行される（Ｓ１４）。すなわち、リモコンの発光スイッチをオンした後（Ｓ１５）、後述する特定処理が行われ（Ｓ１６）、この特定処理で得られたリモコン位置に応じてＬＥＤ４３を発光させる（Ｓ１７）。撮影者は、必要に応じて自分の位置を移動して、所望の撮影位置が決まるまでリモコンの発光スイッチオン操作を繰り返し行う（Ｓ１８）。所望の撮影位置が得られた段階でリモコンのレリーズスイッチをオンすることにより（Ｓ１９）、後述する撮影条件設定処理が行われ（Ｓ２０）、撮影が実行される（Ｓ２１）。
【００４４】
次に、上述した特定処理について、図７に示したフローチャートを参照して説明する。
【００４５】
まず、合焦レンズ１２が極端な位置にあると位置用のＬＥＤ６２の発光を検出できないため、リモコン撮影時の一例として平均的な距離３ｍに対応する位置に合焦レンズ１２を移動させる（Ｓ４１）。続いて、コマンド用のＬＥＤ６１から発光信号（コマンド信号）が電子カメラに送られ（Ｓ４２）、電子カメラの受光部３４によってこの発光信号が受光される（Ｓ４３）。この発光信号には、リモコンモードの識別コードが含まれている。この状態で、電子カメラはスタンバイ状態となる（Ｓ４４）。
【００４６】
所定時間経過後、位置用のＬＥＤ６２が発光する（Ｓ４５）。ＬＥＤ６２の発光はＣＣＤ（撮像素子１３）で撮像（露光）され（Ｓ４６）、光電変換された信号をＡＤ変換した後、特定色抽出部３６によって特定色抽出処理、すなわちＬＥＤ６２の発光色の検出処理が行われる（Ｓ４７）。具体的には、Ｒ、Ｇ、Ｂが所定の比率である画素を抽出する処理が行われる。さらに、特定色の抽出処理によって得られた結果に基づき、特定色が抽出された画素の位置が記憶される（Ｓ４８）。
【００４７】
以上のステップＳ４５〜Ｓ４８を所定回数繰り返した後（Ｓ４９）、所定回数の処理によって得られた各データの平均化処理を行う（Ｓ５０）。なお、平均化処理をする代わりに、所定回数の処理によって得られた各データの中から、最も適切なデータを採用するような処理を行ってもよい。
【００４８】
ここで、ＬＥＤ６２の発光タイミングとＣＣＤ（撮像素子１３）の露光タイミングとの関係ついて、図９に示したタイミングチャートを参照して説明する。図９（ａ）はリモコンのコマンド用のＬＥＤ６１の発光タイミングを、図９（ｂ）は位置用のＬＥＤ６２の発光タイミングを、図９（ｃ）は電子カメラの受光部３４の受光タイミングを、図９（ｄ）はＣＣＤの露光タイミングを、それぞれ示している。
【００４９】
図９に示すように、コマンド用のＬＥＤ６１の発光タイミング（ａ）すなわち受光部３４の受光タイミング（ｃ）を基準として、期間ｔ１に対する期間ｔ２の長さを調整することにより、位置用のＬＥＤ６２の発光タイミング（ｂ）とＣＣＤの露光タイミング（ｄ）とを同期させるとともに、発光タイミングの１期間の長さ（例えば、Ｔ１＝１／１５秒）を露光タイミング（ｄ）の１期間の長さ（例えば、Ｔ２＝１／１２５秒）よりも長くしている。このように、ＬＥＤ６２の発光タイミングとＣＣＤの露光タイミングとを同期させ、発光期間内に露光期間が完全に含まれるようにすることで、露光期間内に確実に位置用のＬＥＤ６２の発光を検出することができ、検出の際のＳＮ比を向上させることができる。また、位置用のＬＥＤ６２の発光及びＣＣＤの露光を周期ｔ３で複数回繰り返すことにより、ノイズ等の影響が緩和され、検出精度が向上する。
【００５０】
なお、ＣＣＤの露光期間は、図９（ｄ’）に示すように、毎回変化させるようにしてもよい。この場合、予め各露光期間の長さを設定しておいてもよいし、前回の結果をフィードバックしてその次の露光期間の長さを変更するようにしてもよい。
【００５１】
以上の処理が終了した後、特定色の抽出できたか否かが判断される（Ｓ５１）。抽出できた場合には、リモコン位置特定部３７等によりリモコン位置の算出、特定が行われる（Ｓ５２）。さらに、特定されたリモコン位置に応じて、ＡＥ領域設定部３８及び合焦領域設定部４０により、ＡＥ領域及び合焦領域が設定される（Ｓ５３）。
【００５２】
特定色の抽出できなかった場合、例えば、リモコンが画面外である場合、リモコンすなわち撮影者が遠すぎてＬＥＤの発光を検出できない場合、ＬＥＤの発光光量が不十分で発光を検出できない場合（電池残量が少ない場合、相対的に周囲が明るい場合等）には（Ｓ５４）、所定の警告処理（ストロボ発光部４５の発光、スピーカ４７からの音声による警告等）が行われた後（Ｓ５４）、図６のＳ１２或いはＳ１５のステップに戻る。
【００５３】
次に、上述した撮影条件設定処理について、図８に示したフローチャートを参照して説明する。
【００５４】
まず、合焦処理（ここでは、コントラストＡＦ処理）が以下のようにして行われる（Ｓ７１）。すなわち、露光処理／ＡＤ変換処理によって画像データを取得し（Ｓ７２）、合焦領域設定部４０によって設定された領域の画像データに対して高周波成分算出処理を行う（Ｓ７３）。このような処理を、合焦レンズ１２を１ステップずつ移動させながら所定のステップ数行って（Ｓ７４、Ｓ７５）、高周波成分のピークを検出し（Ｓ７６）、ピークが検出された位置に合焦レンズ１２を移動させる（Ｓ７７）。
【００５５】
続いて、ＡＥ処理が以下のようにして行われる（Ｓ７８）。すなわち、露光処理／ＡＤ変換処理によって画像データを取得した後（Ｓ７９）、ＡＥ領域設定部３８によって設定された領域の輝度を検出し（Ｓ８０）、さらに得られた輝度情報に基づいて素子シャッタスピードの設定を行う（絞り値の変更を行ってもよい）（Ｓ８１）。
【００５６】
以上のようにして図８に示した撮影条件設定処理が終了し、その後撮影が実行される。
【００５７】
以上、本発明の実施形態を説明したが、本発明は上記実施形態に限定されるものではなく、その趣旨を逸脱しない範囲内において種々変形して実施することが可能である。
【００５８】
【発明の効果】
本発明によれば、リモコン位置すなわち撮影者の位置を撮像系を利用して検出し、検出されたリモコン位置に応じて画面内におけるＡＥ領域や合焦領域を設定するので、撮影者が画面内のどの位置にいても適正な撮影を行うことが可能となる。
【図面の簡単な説明】
【図１】本発明の実施形態に係る電子カメラシステムの外観構成を示した図。
【図２】本発明の実施形態に係る電子カメラシステムのシステム構成を示したブロック図。
【図３】本発明の実施形態におけるＡＥ検出領域及び合焦検出領域について示した図。
【図４】本発明の実施形態におけるＡＥ検出領域の変更例について示した図。
【図５】本発明の実施形態におけるリモコン位置と位置表示用ＬＥＤとの関係について示した図。
【図６】本発明の実施形態における動作を示したフローチャート。
【図７】図６に示した動作の一部についてその詳細を示したフローチャート。
【図８】図６に示した動作の一部についてその詳細を示したフローチャート。
【図９】本発明の実施形態におけるＬＥＤの発光タイミングとＣＣＤの露光タイミングとの関係について示したタイミングチャート。
【符号の説明】
１０…電子カメラ
１１…ズームレンズ                  １２…合焦レンズ
１３…撮像素子                      １４…撮像回路
１５…Ａ／Ｄ変換回路                １６…ズームレンズ制御部
１７…ズームレンズ移動部            １８…合焦レンズ制御部
１９…合焦レンズ移動部              ２０…シスコン
２１…バス                          ２２…内蔵メモリ
２３…メモリインターフェース        ２４…カードスロット
２５…着脱主メモリ                  ２６…外部インターフェース
２７…外部入出力端子                ２８…ＶＲＡＭ
２９…ＬＣＤドライバ                ３０…内蔵ＬＣＤ
３１…ビデオ出力回路                ３２…ビデオ出力端子
３３…操作部                        ３４…受光部
３５…受光回路                      ３６…特定色抽出部
３７…リモコン位置特定部            ３８…ＡＥ領域設定部
３９…ＡＥ部                        ４０…合焦領域設定部
４１…合焦検出部                    ４２…合焦／ＡＥ領域表示部
４３…ＬＥＤ                        ４４…駆動制御回路
４５…ストロボ発光部                ４６…ストロボ制御部
４７…スピーカ
６０…リモコン
６１、６２…ＬＥＤ                  ６３…操作部
６４…マイコン                      ６５…コマンド用発光制御部
６６…位置用発光制御部
【図１】
0004347499.tif 000002
【図２】
0004347499.tif 000003
【図３】
0004347499.tif 000004
【図４】
0004347499.tif 000005
【図５】
0004347499.tif 000006
【図６】
0004347499.tif 000007
【図７】
0004347499.tif 000008
【図８】
0004347499.tif 000009
【図９】
0004347499.tif 000010